(57)【要約】【課題】弾発手段による弾発力のバランスが良く、強いクリック感覚が得られ、移動体を確実に安定した停止位置に停止させることができるクリック機構を提供する。【解決手段】回転つまみ９０とクリック用部材６０とを具備する。回転つまみ９０にはコイルスプリング８１と一対の球体８３，８３とを具備してなる弾発手段８０を設置する。クリック用部材６０にはクリック用乗越え部７３及びクリック保持部７５を交互に設けたクリック当接部７１を設ける。クリック用乗越え部７３は、一対の球体８３，８３に同時に当接するように対向する位置に設けられ、回転つまみ９０を回転することによって、球体８３，８３にクリック用乗越え部７３を同時に乗り越えさせて強いクリック感覚を生じさせる。【選択図】図１
2006179394.tif 000002
【特許請求の範囲】
【請求項１】
移動体を移動する際にクリック感覚を生じさせるクリック機構において、
前記クリック機構は、前記移動体と前記移動体に対向して設置されるクリック用部材とを具備し、
前記移動体と前記クリック用部材の何れか一方には、弾発部材と、前記弾発部材の両端に設置される一対の弾接体とを具備してなる弾発手段を設置し、
前記移動体と前記クリック用部材の何れか他方には、前記一対の弾接体にそれぞれ当接するクリック用乗越え部を設け、
前記移動体を前記クリック用部材に対して移動することによって、前記一対の弾接体に前記クリック用乗越え部を乗り越えさせてクリック感覚を生じさせることを特徴とするクリック機構。
【請求項２】
移動体を移動する際にクリック感覚を生じさせるクリック機構において、
前記クリック機構は、前記移動体と前記移動体に対向して設置されるクリック用部材とを具備し、
前記移動体と前記クリック用部材の何れか一方には、その両端に一対の弾接部を有する弾発手段を設置し、
前記移動体と前記クリック用部材の何れか他方には、前記一対の弾接部にそれぞれ当接するクリック用乗越え部を設け、
前記クリック用乗越え部は、前記一対の弾接部に同時に当接するように対向する位置に設けられ、
前記移動体を前記クリック用部材に対して移動することによって、前記弾発手段両端の弾接部に前記クリック用乗越え部を同時に乗り越えさせてクリック感覚を生じさせることを特徴とするクリック機構。
【請求項３】
前記移動体は回転体であり、前記クリック用乗越え部は、前記回転体の回転中心軸に対して対称な位置に設置されていることを特徴とする請求項１又は２に記載のクリック機構。
【請求項４】
前記弾発手段は、前記回転体の回転中心軸を通ってその半径方向に伸びる回転体の収納部内に収納されていることを特徴とする請求項３に記載のクリック機構。
【請求項５】
前記クリック機構は回転式電子部品に取り付けられ、
この回転式電子部品は、前記回転体と、前記クリック用部材と、前記回転体と一体に回転する摺動型物と、前記摺動型物の回転によってその電気的出力を変化する電気的機能部とを具備して構成されていることを特徴とする請求項３又は４に記載のクリック機構。
【発明の詳細な説明】
【技術分野】
【０００１】
本発明は、良好で強いクリック感覚が得られる、電子部品に用いて好適なクリック機構に関するものである。
【背景技術】
【０００２】
従来、回転式電子部品やスライド式電子部品の中には、つまみ（回転つまみやスライドつまみ）を操作する際にクリック感覚を生ずるようにクリック機構を取り付けたものがある。この種のクリック機構は例えば特許文献１に示すように、回転型物等の回転体の上面にリング状に凹凸状のクリック係合部を設け、これに対向するケース等の固定側部材に弾性金属板からなるクリックバネを取り付け、回転体を回転することでクリックバネの弾接部を前記クリック係合部の凹凸に弾接させていくことで、クリック感覚を生じさせるように構成されている。また従来のクリック機構の中には、例えば回転体の外周側面に設けた凹凸状のクリック係合部にその半径方向外側からコイルバネによって金属球を弾接し、これによって回転体の回転にクリック感覚を生じさせるように構成したものもある。
【０００３】
しかしながら上記構造のクリック機構においては、以下のような問題点があった。
（１）クリックバネの弾接部や金属球によって回転体を弾発する弾発位置は一ヶ所なので、回転体に対するクリックバネの弾接部や金属球による弾発力のバランスが悪く、回転体の回転位置によってその回転力が異なってしまう等の恐れがあった。また弾発箇所が一箇所の場合、強いクリック感覚が得られなかった。
【０００４】
（２）前記（１）の問題点を解決する方法としては、クリックバネの弾接部や金属球の数をもう一つ増してクリック係合部を１８０°対向する各々の位置で弾発する方法が考えられる。即ち例えば図９に示すように、クリックバネ５００をリング状に形成してその１８０°対向する位置に一対の紙面手前側（又は奥側）に突出する突部からなる弾接部５０１を設け、また両弾接部５０１を結ぶクリックバネ５００上の中間位置に一対の円形の開口からなる取付部５０３を設ける。取付部５０３はこのクリックバネ５００をケース等の固定側部材に取り付けるためのものである。そして一対の弾接部５０１をこれらが弾接する回転型物等の回転体の凹凸状のクリック係合部の凹部に同時に係合させるため、クリック係合部を構成する凹凸を偶数個等間隔に設けておく。このように構成すれば回転体に対するクリックバネ５００の弾接部５０１や金属球による弾発力のバランスが改善される。しかしながら例えこのように構成したとしても、クリックバネ５００の複数の弾接部５０１や複数の金属球による回転体に対する弾発力（荷重）を、何れの弾発箇所においても同一にすることは困難であり、さらに確実に回転体をバランス良く複数箇所で弾発できるクリック機構が望まれる。またさらに他の例として、図１０に示すように、クリックバネ５１０をリング状に形成してその１２０°対向する位置に三つの紙面手前側（又は奥側）に突出する突部からなる弾接部５１１を設け、また各弾接部５１１を結ぶクリックバネ５１０上の中間位置に三つの円形の開口からなる取付部５１３を設けて構成することも考えられる。そして三つの弾接部５１１を同時に回転型物等の回転体の凹凸状のクリック係合部の凹部に同時に係合させるため、クリック係合部を構成する凹凸を三の倍数の数だけ等間隔に設けておく。このように構成すれば回転体に対するクリックバネ５１０の弾接部５１１による弾発力のバランスがさらに改善される。しかしながらこのように構成しても、やはりクリックバネ５１０の複数の弾接部５１１による回転体に対する弾発力（荷重）を、何れの弾発箇所においても同一にすることは困難であり、さらに確実に回転体をバランス良く複数箇所で弾発できるクリック機構が望まれる。なお上記クリックバネ５００，５１０は、これらをケース等の固定側部材に取り付ける代りに回転型物等に取り付け、逆にクリック係合部をケース等の固定側部材に取り付ける場合もあるが、上記問題点は同様に生じる。
【０００５】
（３）クリック機構は通常、一つのスイッチのオンオフ状態の位置から次のスイッチのオンオフ状態の位置に回転体を回転して切り替える毎にクリック感覚が生じるように構成されており、スイッチが切り替わった際はクリックバネの弾接部や金属球がクリック係合部の凹凸の内の何れかの凹部に嵌まり込んで安定した状態となるようにしている。しかしながら従来のクリックバネの弾接部や金属球によるクリック係合部への弾接力はそれほど強くないので、回転体の回転をクリックバネの弾接部や金属球がクリック係合部の凹部から凹部に移動する途中の凸部の頂上において停止した場合は、クリックバネの弾接部や金属球は前記凸部の頂上に不安定な状態で停止したままとなって凹部に入り込めず、回転体がその位置に停止したままとなり、いわゆるデッドポイント位置での回転体の停止が起こり、これによってスイッチのオンオフ状態も不安定になってしまう恐れがあった。
【特許文献１】特開２００４−１７８９８９号公報
【発明の開示】
【発明が解決しようとする課題】
【０００６】
本発明は上述の点に鑑みてなされたものでありその目的は、弾発手段による弾発力のバランスが良く、強いクリック感覚が得られ、移動体を確実に安定した停止位置に停止させることができるクリック機構を提供することにある。
【課題を解決するための手段】
【０００７】
本願請求項１に記載の発明は、移動体を移動する際にクリック感覚を生じさせるクリック機構において、前記クリック機構は、前記移動体と前記移動体に対向して設置されるクリック用部材とを具備し、前記移動体と前記クリック用部材の何れか一方には、弾発部材と、前記弾発部材の両端に設置される一対の弾接体とを具備してなる弾発手段を設置し、前記移動体と前記クリック用部材の何れか他方には、前記一対の弾接体にそれぞれ当接するクリック用乗越え部を設け、前記移動体を前記クリック用部材に対して移動することによって、前記一対の弾接体に前記クリック用乗越え部を乗り越えさせてクリック感覚を生じさせることを特徴とするクリック機構にある。
【０００８】
本願請求項２に記載の発明は、移動体を移動する際にクリック感覚を生じさせるクリック機構において、前記クリック機構は、前記移動体と前記移動体に対向して設置されるクリック用部材とを具備し、前記移動体と前記クリック用部材の何れか一方には、その両端に一対の弾接部を有する弾発手段を設置し、前記移動体と前記クリック用部材の何れか他方には、前記一対の弾接部にそれぞれ当接するクリック用乗越え部を設け、前記クリック用乗越え部は、前記一対の弾接部に同時に当接するように対向する位置に設けられ、前記移動体を前記クリック用部材に対して移動することによって、前記弾発手段両端の弾接部に前記クリック用乗越え部を同時に乗り越えさせてクリック感覚を生じさせることを特徴とするクリック機構にある。
【０００９】
本願請求項３に記載の発明は、前記移動体は回転体であり、前記クリック用乗越え部は、前記回転体の回転中心軸に対して対称な位置に設置されていることを特徴とする請求項１又は２に記載のクリック機構にある。
【００１０】
本願請求項４に記載の発明は、前記弾発手段は、前記回転体の回転中心軸を通ってその半径方向に伸びる回転体の収納部内に収納されていることを特徴とする請求項３に記載のクリック機構にある。
【００１１】
本願請求項５に記載の発明は、前記クリック機構は回転式電子部品に取り付けられ、この回転式電子部品は、前記回転体と、前記クリック用部材と、前記回転体と一体に回転する摺動型物と、前記摺動型物の回転によってその電気的出力を変化する電気的機能部とを具備して構成されていることを特徴とする請求項３又は４に記載のクリック機構にある。
【発明の効果】
【００１２】
請求項１，３，４，５に記載の発明によれば、一つの弾発部材によって一対の弾接体を同時に弾発するので、二つの部分を弾発するのに一つの弾発部材で良くなり、部品点数を削減できる。また一つの弾発部材によって二つの弾接体を弾発するので、両弾接体の弾発力（荷重）は全く同一になり、更には移動体を二ヶ所で弾発できるので回転時のバランスも良く、移動体の移動に必要な力を何れの移動位置においても均一にすることができる。
【００１３】
請求項２，３，４，５に記載の発明によれば、クリック用乗越え部を一対の弾接部に同時に当接するように対向する位置に設けたので、弾発手段両端の弾接部が、対向するクリック用乗越え部を同時に乗り越えることとなり、弾発手段の縮む寸法が大きくなり、その分弾発手段の弾発力は強くなり、その分強いクリック感覚が得られるばかりか、もし移動体の移動を一対の弾接部が対向するクリック用乗越え部上の中央部分に位置したときに中止したような場合でも弾接部による強い弾発力によって移動体が自然に移動してクリック用乗越え部から外れ、移動体を自動的に安定した位置に導くことができる。
【発明を実施するための最良の形態】
【００１４】
以下、本発明の実施形態を図面に基づいて詳細に説明する。
〔第一実施形態〕
図１，図２は本発明の第一実施形態にかかるクリック機構を取り付けた回転式電子部品１−１の分解斜視図であり、図１はその上側部分、図２はその下側部分を示している。また図４は回転式電子部品１−１の概略側断面図である。これらの図に示すように回転式電子部品１−１は、取付部材１０の上に、回路基板（以下この実施形態では「フレキシブル回路基板」という）２０と、摺動子５０を取り付けた移動型物（以下この実施形態では「摺動型物」という）３０と、クリック用部材６０と、弾発手段８０と、円周方向に移動する移動体となる回転体（以下この実施形態では「回転つまみ」という）９０とを設置して構成されている。なおクリック機構は弾発手段８０を設置した回転つまみ９０と、回転つまみ９０に対向して設置される下記するクリック用乗越え部７３を設けたクリック用部材６０とを具備して構成されている。以下各構成部品について説明する。
【００１５】
取付部材１０は、合成樹脂を略円板状に成形して構成されており、その中央には円形の貫通する小孔からなる軸支部１１が設けられ、またその外周の複数箇所（この実施形態では四個所）には略矩形状に貫通する小孔からなる固定部１３が設けられ、さらに取付部材１０の下面外周の複数箇所（この実施形態では四個所であるが、図では二箇所のみ示す）からは下方向に突出する連結部１５が設けられている。連結部１５はこの回転式電子部品１−１を他の部材に取り付けるために設けられたものである。
【００１６】
フレキシブル回路基板２０は、略円形の可撓性を有する合成樹脂製フイルム（例えばポリエチレンテレフタレートフイルム〔ＰＥＴフイルム〕、ポリイミドフイルム〔ＰＩフイルム〕等）の中央に前記取付部材１０の軸支部１１と同一寸法形状の小孔からなる挿入部２１を設け、またその外周の前記取付部材１０の各固定部１３に対向する位置に舌片状に半径方向の外方に突出する複数（この実施形態では四つ）の突出部２３を設け、それぞれの突出部２３内に前記固定部１３と同一形状寸法の小孔からなる挿入固定部２５を形成し、またその外周に帯状の引出部２７を接続し、さらにその上面の挿入部２１の周囲に同心円弧状の電気的機能部を構成する導体パターン（以下この実施形態では「スイッチパターン」という）２９を設けて構成されている。スイッチパターン２９には図示しない回路パターンが接続されており、これら回路パターンは引出部２７によって回転式電子部品１−１の外部に引き出されている。
【００１７】
摺動型物３０は合成樹脂を略円板状に成形して構成されており、その上面中央には係合部３３を突出して設け、係合部３３の周囲の複数箇所（この実施形態では三個所）には上下に貫通する係合固定部３５を設けている。係合部３３は略円柱形状であってその１８０°対向する側面からは半径方向外側に向けて直線状に突出する一対の係止部３７が設けられ、またその下面側は凹部３９（図４参照）となっていて凹部３９の中央には摺動型物３０の下面よりも更に下方に突出する軸部４１が設けられている。軸部４１は前記フレキシブル回路基板２０の挿入部２１と取付部材１０の軸支部１１に回動自在に挿入される寸法形状の円柱形状に形成されている。電気的機能部を構成する摺動子５０は弾性金属板を矩形状に形成してなる基部５１と、基部５１の一辺から突出して基部５１の下面側に折り返される二本の摺動冊子５３とを具備して構成されている。基部５１にはこの摺動子５０を摺動型物３０の下面に取り付けるための小孔５５が設けられており、この小孔５５に摺動型物３０の下面に設けた図示しない小突起を挿入して小突起の先端を熱カシメすることで摺動子５０は摺動型物３０に取り付けられている。
【００１８】
クリック用部材６０は合成樹脂を略円板状に成形し、その外周から下方に向けて筒状の側壁部６１を設けることでその内部に摺動型物収納部６３を設けて構成されている。そしてクリック用部材６０の中央には円形で上下に貫通する貫通孔からなる軸支部６５が設けられ、またその上面の外周近傍部分にはこの外周近傍部分全体を囲むように上方向に突出するクリック部６７が設けられ、一方その下面外周近傍の前記取付部材１０の各固定部１３に対向する位置にこれら各固定部１３に挿入される寸法形状の突起状の取付部６９を設けている。クリック部６７は、その内側の側壁部分が下記する球体８３が弾接するクリック当接部７１であり、クリック当接部７１はこのクリック用部材６０の中心軸（回転つまみ９０の回転中心軸と同じ）に垂直な面において、その中心軸からみて複数（この実施形態では八個）の凹凸を繰り返す形状に形成され、その中心軸からみて凸となっている部分、即ち円弧状に中心軸方向に向かって突出している部分をクリック用乗越え部７３、凹となっている部分、即ち円弧と円弧が接合して鋭角な谷となっている部分をクリック用保持部７５としている。特にこの実施形態においては、クリック用乗越え部７３は回転つまみ９０の回転中心軸に対して１８０°対称な位置に設置されている。従ってクリック用保持部７５も回転つまみ９０の回転中心軸に対して１８０°対称な位置に設置されている。
【００１９】
弾発手段８０は、弾発部材（以下この実施形態では「コイルバネ」という）８１と、コイルバネ８１の両端に設置される弾接部となる一対の弾接体（以下この実施形態では「球体」という）８３とを具備して構成されている。コイルバネ８１は一本のワイヤを複数回コイル状に巻き回して所定の長さにし、その両端を圧縮方向に圧縮できるようにしたコイルバネであり、球体８３は金属製の鋼球である。
【００２０】
図３は回転つまみ９０をその裏面側から見た斜視図である。図１及び図３に示すように回転つまみ９０は合成樹脂を略円板状に成形し、円形の上面板１００とその外周下方に立設する円筒状の側壁部９１を有している。側壁部９１の外周面はつまみ部９３としている。更に上面板１００の裏面中央部からは略円筒状の軸９５を突出し、軸９５の中央部分を直線状に横断するように一対の互いに対向する位置にある切り欠き９６を設けると共にこの切り欠き９６部分に平行な一対の平板状のガイド突起９７を形成することで両ガイド突起９７，９７の間の空間を収納部９９とし、また軸９５の下端辺に前記摺動型物３０の各係合固定部３５に挿入される寸法形状の突起状の取付固定部１０１を設けて構成されている。ここで前記収納部９９は回転つまみ９０の回転中心軸を通ってその半径方向に伸び、且つ前記弾発手段８０を構成するコイルバネ８１と一対の球体８３とを略収納する長さ寸法に構成されている。また軸９５はその外径寸法が前記クリック用部材６０の軸支部６５に回動自在に軸支される寸法に形成されている。
【００２１】
この回転式電子部品１−１の組み立て方法の一例を説明すると、まず回転つまみ９０の収納部９９の両端部近傍にそれぞれ一対の球体８３を収納し、次にその下側にクリック用部材６０を設置する。このとき収納部９９の下面（開放されている側の面）は軸支部６５の部分を除いてクリック用部材６０の表面によって覆われ、同時に収納部９９の両端部近傍はクリック用部材６０のクリック当接部７１によって塞がれるので（図５参照）、球体８３は開口である軸支部６５以外からは外部に脱落する恐れはなくなる。このとき同時に回転つまみ９０の軸９５がクリック用部材６０の軸支部６５内に挿入されて回動自在に軸支される。次に前記クリック用部材６０の下面側から前記軸支部６５を通してコイルバネ８１を収納部９９内に挿入して収納する。これによって一対の球体８３は、コイルバネ８１の両端によってクリック当接部７１の１８０°対向する面に同時に弾接される（図５参照）。
【００２２】
次にクリック用部材６０の下面側の摺動型物収納部６３内に摺動子５０を取り付けた摺動型物３０を設置する。このとき摺動型物３０の係合部３３はクリック用部材６０の軸支部６５の内部において回転つまみ９０の軸９５の内部に挿入・係合され、軸９５に設けた一対の切り欠き９６に係合部３３の一対の係止部３７を係合する。またこのとき回転つまみ９０に設けた各取付固定部１０１を摺動型物３０の各係合固定部３５に挿入し、その先端を摺動型物３０の下面で熱カシメによって固定する。これによって一体化された回転つまみ９０と摺動型物３０とがクリック用部材６０を介して一体に回転自在となる。そして摺動型物３０の下側にフレキシブル回路基板２０と取付部材１０とを配置し、その際クリック用部材６０に設けた各取付部６９をフレキシブル回路基板２０の各挿入固定部２５と取付部材１０の各固定部１３とに挿入し、その先端を取付部材１０の下面で熱カシメする。これによって前記各部材は一体化され、回転式電子部品１−１が完成する。なおこのとき摺動型物３０の軸部４１（図４参照）はフレキシブル回路基板２０の挿入部２１を介して取付部材１０の軸支部１１に挿入され、回動自在に軸支されている。また摺動子５０の摺動冊子５３はフレキシブル回路基板２０のスイッチパターン２９に当接している。
【００２３】
以上のように構成された回転式電子部品１−１において、回転つまみ９０を回転すると、回転つまみ９０と一体に摺動型物３０が回転し、電気的機能部を構成する摺動子５０が電気的機能部を構成するスイッチパターン２９上を摺動してその電気的出力が変化する。
【００２４】
ところでコイルバネ８１と一対の球体８３とを具備する弾発手段８０は、コイルバネ８１が回転つまみ９０の回転中心軸を通って半径方向に延びており、同時にクリック用乗越え部７３（又はクリック用保持部７５）は回転つまみ９０の回転中心軸に対して対称な位置に設置されているので、図５（ａ），（ｂ）に示すように、一対の球体８３は同時にクリック用保持部７５に弾接するか、或いは同時にクリック用乗越え部７３に弾接する。つまり回転つまみ９０を何ら操作していない状態では両球体８３は図５（ａ）に示すように、安定している位置であるクリック用保持部７５に同時に係合しており、多少の力を回転つまみ９０に加えてもこの位置に安定して保持される。またこの状態においては、スイッチパターン２９からの出力は所定のオンオフ出力となっている。次に回転つまみ９０を回転していくと、図５（ｂ）に示すように、一対の球体８３は同時に対向するクリック用乗越え部７３に乗り上げ、これによってコイルバネ８１は同時にその両側から圧縮されて縮まり、さらに回転つまみ９０を回転していくことで図５（ｃ）に示すように一対の球体８３は次の対向するクリック用保持部７５に同時に係合して安定する。この一工程によって一回のクリック感覚が生じる。このときスイッチパターン２９からの出力は前記オンオフ出力とは異なるオンオフ出力となっている。ところで対向するクリック用乗越え部７３には、同時に一対の球体８３が乗り上げることでコイルバネ８１が同時にその両側から押圧されるので、一方の球体８３のみが押圧されてコイルバネ８１が縮む寸法の二倍の寸法縮むこととなり、その分コイルバネ８１の弾発力は二倍に強くなり、その分強いクリック感覚が得られる。更にはもし回転つまみ９０の回転を一対の球体８３がクリック用乗越え部７３上の中央部分（即ち図５（ｂ）に示す位置）に位置したときに中止したような場合でも、クリック用乗越え部７３上の球体８３への弾発力が強いことと、クリック用乗越え部７３は回転中心軸からみて凸形状（特にこの実施形態では円弧状）であって安定が悪いこととによって、その球体８３がクリック用保持部７５に導かれ、回転つまみ９０は自然に回転して確実に自動的に球体８３がクリック用保持部７５に弾接する位置に移動する。
【００２５】
またこの実施形態の場合、一つのコイルバネ８１によって二つの球体８３を同時に弾発するので、二つの位置を弾発するのに一つのコイルバネ８１で良くなり、部品点数を削減できる。同時に一つのコイルバネ８１によって二つの球体８３を弾発するので、両球体８３の弾発力は全く同一になり、更には回転つまみ９０を回転中心軸に対して１８０°対向する二箇所で弾発できるので回転時のバランスも良く、回転つまみ９０の回転に必要な力を何れの回転位置においても均一にすることができる。
【００２６】
〔第二実施形態〕
図６は本発明の第二実施形態にかかるクリック機構を取り付けた回転式電子部品１−２の上側部分の分解斜視図である。なお回転式電子部品１−２のクリック用部材６０よりも下側の部品（即ち第一実施形態で示す取付部材１０とフレキシブル回路基板２０と摺動型物３０と摺動子５０）は第一実施形態のものと全く同一なのでその図示は省略する。図６に示す回転式電子部品１−２において、第一実施形態にかかる回転式電子部品１−１と同一又は相当部分には同一符号を付す。なお以下で説明する事項以外の事項については、第一実施形態と同じである。同図に示す回転式電子部品１−２において、前記回転式電子部品１−１と相違する概要は、弾発手段８０−２の構成のみである。即ち弾発手段８０−２は、第一実施形態の弾発手段８０のようにコイルバネ８１と一対の球体８３によって構成する代わりに、一枚の板バネ８５によって構成されている。板バネ８５は、帯状の弾性金属板を略Ｓ字状に折り曲げて構成されており、その両端の略Ｕ字状に折り曲げられている先端部分を一対の弾接部８７とし、その中央の屈曲部分を屈曲変形部８９としている。そして弾発手段８０−２は回転つまみ９０の収納部９９内に収納され、同時にクリック用部材６０上面のクリック部６７の内側に配置され、弾発手段８０−２の一対の弾接部８７はそれぞれ同時にクリック当接部７１に当接（弾接）している。
【００２７】
つまり弾発手段８０−２の一対の弾接部８７は、弾発手段８０−２が回転つまみ９０の回転中心軸を通って半径方向に延びており、同時にクリック用乗越え部７３（又はクリック用保持部７５）は回転つまみ９０の回転中心軸に対して対称な位置に設置されているので、図７（ａ），（ｂ）に示すように、一対の弾接部８７は同時にクリック用保持部７５に弾接するか、或いは同時にクリック用乗越え部７３に弾接する。従って第一実施形態と同様に、回転つまみ９０を何ら操作していない状態では両弾接部８７は図７（ａ）に示すように、安定している位置であるクリック用保持部７５に同時に係合しており、多少の力を回転つまみ９０に加えてもこの位置に安定して保持される。次に回転つまみ９０を回動していくと、図７（ｂ）に示すように、一対の弾接部８７は同時に対向するクリック用乗越え部７３に乗り上げ、これによって主として板バネ８５の中央の屈曲変形部８９が屈曲することで、板バネ８５は同時にその両側から圧縮されて縮まり、さらに回転つまみ９０を回転していくことで一対の弾接部８７は次の対向するクリック用保持部７５に同時に係合して安定する。この一工程によって一回のクリック感覚が生じる。ところでこの実施形態においても対向するクリック用乗越え部７３には、同時に一対の弾接部８７が乗り上げることで板バネ８５が同時にその両側から押圧されるので、弾接部８７の一方のみが押圧されて板バネ８５が縮む寸法の二倍の寸法縮むこととなり、その分板バネ８５の弾発力は二倍に強くなり、その分強いクリック感覚が得られるばかりか、もし回転つまみ９０の回転を一対の弾接部８７がクリック用乗越え部７３上の中央部分（即ち図７（ｂ）に示す位置）に位置したときに中止したような場合でも、クリック用乗越え部７３上の弾接部８７への弾発力が強いことと、クリック用乗越え部７３は円弧状であって安定が悪いこととによって、その弾接部８７がクリック用保持部７５に導かれ、回転つまみ９０は自然に回転して確実に自動的に弾接部８７がクリック用保持部７５に弾接する位置に移動する。
【００２８】
〔第三実施形態〕
図８は本発明の第三実施形態にかかるクリック機構を取り付けた直線上を摺動するスライド式電子部品１−３を示す図であり、図８（ａ）は平断面概略図（ケース１９０の上側部分を切断している）、図８（ｂ）は側断面概略図である。同図に示すようにこのスライド式電子部品１−３は、取付部材１１０の上に、回路基板（以下この実施形態では「フレキシブル回路基板」という）１２０と、摺動子１５０を取り付けた移動体となる移動型物（以下この実施形態では「摺動型物」という）１３０と、摺動型物１３０に収納される弾発手段１８０と、クリック用部材（以下この実施形態では「ケース」という）１９０とを設置して構成されている。なおクリック機構は弾発手段１８０を設置した摺動型物１３０と、摺動型物１３０の直線状のスライド方向Ａの両側面に対向して設置される下記するクリック用乗越え部１７３を設けたケース１９０とを具備して構成されている。以下各構成部品について説明する。
【００２９】
取付部材１１０は、合成樹脂を矩形の平板状に成形して構成されており、その外周の複数箇所（この実施形態では四隅）には貫通する小孔からなる固定部１１３が設けられている。フレキシブル回路基板１２０は、略矩形の可撓性を有する合成樹脂製フイルム（例えばポリエチレンテレフタレートフイルム〔ＰＥＴフイルム〕、ポリイミドフイルム〔ＰＩフイルム〕等）の外周の前記取付部材１１０の各固定部１１３に対向する位置に固定部１１３と同一形状寸法の挿入固定部１２５を形成し、またその上面の中央付近に下記する摺動型物１３０のスライド方向Ａに向けて延びる直線状の電気的機能部である導体パターン（以下この実施形態では「スイッチパターン」という）１２９を設けて構成されている。スイッチパターン１２９には図示しない回路パターンが接続されており、これら回路パターンはスライド式電子部品１−３の外部に引き出されている。
【００３０】
摺動型物１３０は合成樹脂を略直方体形状に成形して構成されており、その上面中央には操作つまみ１３３が突出して設けられ、また摺動型物１３０の両側面（摺動型物１３０のスライド方向Ａに平行な両側面）間にはこれを連通する円形の貫通孔からなる収納部１３５が設けられている。収納部１３５は摺動型物１３０のスライド方向Ａに垂直で前記フレキシブル回路基板１２０の表面に平行な方向に向かって設けられている。電気的機能部である摺動子１５０は弾性金属板を矩形状に形成してなる基部１５１と、基部１５１の一辺から突出して基部１５１の下面側に折り返される二本の摺動冊子１５３とを具備して構成されており、基部１５１は摺動型物１３０の下面に取り付けられている。
【００３１】
弾発手段１８０は、弾発部材（以下この実施形態では「コイルバネ」という）１８１と、コイルバネ１８１の両端に設置される弾接部となる一対の弾接体（以下この実施形態では「球体」という）１８３とを具備して構成されている。コイルバネ１８１は一本のワイヤを複数回コイル状に巻き回して所定の長さにし、その両端を圧縮方向に圧縮できるようにしたコイルバネであり、球体１８３は金属製の鋼球である。コイルバネ１８１及び球体１８３は何れもこれらが前記摺動型物１３０に設けた収納部１３５に挿入できる外径寸法を有している。
【００３２】
ケース１９０は合成樹脂を下面が開放された箱型に成形して構成されており、その内部は前記摺動型物１３０を直線状にスライド移動させる幅と長さを有する摺動型物収納部１９１となっており、またその上面には前記摺動型物１３０の操作つまみ１３３を挿入してスライド方向Ａにスライド自在とする細長矩形状の挿通部１９３を設け、またケース１９０下面の四隅には小突起状の固定部１９５を設けている。そしてケース１９０の摺動型物収納部１９１内部の両側面（摺動型物１３０のスライド方向Ａに平行で摺動型物１３０の収納部１３５両端が開口している面に対向する面）１９７，１９７には、前記球体１８３が弾接するクリック当接部１７１が設けられている。クリック当接部１７１は摺動型物１３０のスライド方向Ａに沿って直線状に複数（この実施形態では四個）の凹凸を繰り返す形状に形成され、摺動型物収納部１９１の内部からみて山形に凸となっている部分をクリック用乗越え部１７３、谷形に凹となっている部分をクリック用保持部１７５としている。特にこの実施形態においては、対向している両側面１９７，１９７に設けている各クリック用乗越え部１７３同士が摺動型物収納部１９１の内部からスライド方向Ａに垂直な方向をみて対称な位置に設置されている。従ってクリック用保持部１７５も摺動型物収納部１９１の内部からスライド方向Ａに垂直な方向をみて対称な位置に設置されている。
【００３３】
この回転式電子部品１−３の組み立て方法の一例を説明すると、まずケース１９０の摺動型物収納部１９１内にその下側から摺動型物１３０を収納し、その操作つまみ１３３をケース１９０の挿通部１９３に挿通する。このとき摺動型物１３０には摺動子１５０が取り付けられるとともに、その収納部１３５内にはコイルバネ１８１とその両側に設置される球体１８３とが挿入されている。従って摺動型物１３０を摺動型物収納部１９１内に収納した際、一対の球体１８３はコイルバネ１８１によってクリック当接部１７１の対向する面に同時に弾接される。そして摺動型物１３０の下側にフレキシブル回路基板１２０と取付部材１１０とを配置し、その際ケース１９０に設けた各固定部１９５をフレキシブル回路基板１２０の各挿入固定部１２５と取付部材１１０の各固定部１１３とに挿入し、その先端を取付部材１１０の下面で熱カシメする。これによって前記各部材は一体化され、スライド式電子部品１−３が完成する。なおこのとき摺動子１５０の摺動冊子１５３はフレキシブル回路基板１２０のスイッチパターン１２９に当接している。
【００３４】
以上のように構成されたスライド式電子部品１−３において、操作つまみ１３３によって摺動型物１３０をスライド移動すると、摺動子１５０がスイッチパターン１２９上を摺動してその電気的出力が変化する。
【００３５】
一方コイルバネ１８１によって弾発されている一対の球体１８３は、コイルバネ１８１が摺動型物１３０の摺動方向に垂直な方向に延びており、同時にクリック用乗越え部１７３（又はクリック用保持部１７５）は前記コイルバネ１８１の長手方向の対称な位置に設置されているので、図８（ａ）に示すように、一対の球体１８３は同時にクリック用保持部１７５に弾接するか、或いは同時にクリック用乗越え部１７３に弾接する。つまり操作つまみ１３３を何ら操作していない状態では両球体１８３は図８（ａ）に示すように、安定している位置であるクリック用保持部１７５に同時に係合しており、多少の力を操作つまみ１３３に加えてもこの位置に安定して保持される。またこの状態においては、スイッチパターン１２９からの出力は所定のオンオフ出力となっている。次に操作つまみ１３３をスライド移動していくと、一対の球体１８３は同時に対向するクリック用乗越え部１７３に乗り上げ、これによってコイルバネ１８１は同時にその両側から圧縮されて縮まり、さらに操作つまみ１３３を移動していくことで一対の球体１８３は次の対向するクリック用保持部１７５に同時に係合して安定する。上記一連の操作の際にクリック感覚が生じる。このときスイッチパターン１２９からの出力は前記オンオフ出力とは異なるオンオフ出力となっている。ところで対向するクリック用乗越え部１７３には、同時に一対の球体１８３が乗り上げることでコイルバネ１８１が同時にその両側から押圧されるので、一方の球体１８３のみが押圧されてコイルバネ１８１が縮む寸法の二倍の寸法縮むこととなり、その分コイルバネ１８１の弾発力は二倍に強くなり、その分強いクリック感覚が得られるばかりか、もし操作つまみ１３３の移動を一対の球体１８３がクリック用乗越え部１７３上の中央部分に位置したときに中止したような場合でも、クリック用乗越え部１７３上の球体１８３への弾発力が強いことと、クリック用乗越え部１７３は山形であって安定が悪いこととによって、その球体１８３がクリック用保持部１７５に導かれ、摺動型物１３０は自然に移動して確実に自動的に球体１８３がクリック用保持部１７５に弾接する位置に移動する。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記第一実施形態ではクリック用乗越え部７３を含むクリック部７１をクリック用部材６０に設け、弾発手段８０を回転つまみ９０に設置したが、これを逆にしてクリック用乗越え部７３を含むクリック部７１を回転つまみ９０に設け、弾発手段８０をクリック用部材６０に設置してもよい。第二，第三実施形態においても同様である。
【００３７】
また例えば上記第一実施形態では弾発手段８０としてコイルバネ８１と球体８３を用い、第二実施形態では板バネ８５を用いているが、本発明の弾発手段はこれら以外の各種弾発手段を用いて構成しても良い。また球体８３（１８３）は必ずしも完全な球体である必要はなく、例えば半球状体のように球面の一部を有する弾接体であっても良い。その場合は球面の部分がクリック部７１に当接する弾接部となるようにする。また弾接部は必ずしも球面である必要はなく、球面以外の湾曲面であっても良い。一方板バネ８５も上記実施形態の形状に限定されず種々の変形が可能である。またクリック部７１を構成するクリック用乗越え部７３とクリック用保持部７５の形状も種々の変形が可能である。また弾発手段８０（８０−２，１８０）又はクリック用乗越え部７３（１７３）の何れかを形成する移動体は、回転つまみ９０や摺動型物１３０に限定されず、他の各種部材であっても良い。
【００３８】
上記各実施形態ではクリック用乗越え部７３（１７３）が、一対の弾接部８３（１８３，８７）に同時に当接するように対向する位置に設けているが、場合によってはその位置をずらして設置しても良い。例えばクリック用乗越え部７３（１７３）とクリック用保持部７５（１７５）が一対の弾接部８３（１８３，８７）に同時に当接するように対向する位置に設けてもよい。この場合、弾発手段８０（８０−２，１８０）がその両側から同時に縮むように押圧されることはないのでその弾発力が二倍に強くなることはないが、移動体９０（１３０）の移動距離に対して二倍の位置でクリック感覚を生じることとなる。また上記実施形態では電気的機能部として摺動子５０（１５０）とスイッチパターン２９（１２９）とを用いたが、電気的機能部は他の各種構造の電気的機能部であっても良く、可変抵抗器用の電気的機能部であっても良く、種々の変形が可能であり、要は移動体を移動することでその電気的出力を変化する電気的機能部であればどのような構造・機能のものであっても良い。
【図面の簡単な説明】
【００３９】
【図１】第一実施形態にかかるクリック機構を取り付けた回転式電子部品１−１の上側部分の分解斜視図である。
【図２】第一実施形態にかかるクリック機構を取り付けた回転式電子部品１−１の下側部分の分解斜視図である。
【図３】回転つまみ９０を裏面側から見た斜視図である。
【図４】クリック機構を取り付けた回転式電子部品１−１の概略側断面図である。
【図５】図５（ａ），（ｂ），（ｃ）はクリック機構の動作説明図である。
【図６】第二実施形態にかかるクリック機構を取り付けた回転式電子部品１−２の上側部分の分解斜視図である。
【図７】図７（ａ），（ｂ）はクリック機構の動作説明図である。
【図８】第三実施形態にかかるクリック機構を取り付けたスライド式電子部品１−３を示す図であり、図８（ａ）は平断面概略図、図８（ｂ）は側断面概略図である。
【図９】クリックバネ５００の平面図である。
【図１０】クリックバネ５１０の平面図である。
【符号の説明】
【００４０】
１−１  回転式電子部品
１０  取付部材
２０  フレキシブル回路基板（回路基板）
２９  スイッチパターン（導体パターン、電気的機能部）
３０  摺動型物（移動型物）
５０  摺動子（電気的機能部）
６０  クリック用部材
７１  クリック当接部
７３  クリック用乗越え部
７５  クリック用保持部
８０  弾発手段
８１  コイルバネ（弾発部材）
８３  球体（弾接体、弾接部）
９０  回転つまみ（回転体、移動体）
９７  ガイド突起
９９  収納部
１−２  回転式電子部品
８０−２  弾発手段
８５  板バネ
８７  弾接部
１−３  スライド式電子部品
１１０  取付部材
１２０  フレキシブル回路基板（回路基板）
１２９  スイッチパターン（導体パターン、電気的機能部）
１３０  摺動型物（移動型物、移動体）
１３５  収納部
１５０  摺動子（電気的機能部）
１７１  クリック当接部
１７３  クリック用乗越え部
１７５  クリック用保持部
１８０  弾発手段
１８１  コイルバネ（弾発部材）
１８３  球体（弾接体）
１９０  ケース（クリック用部材）
【図１】
2006179394.tif 000003
【図２】
2006179394.tif 000004
【図３】
2006179394.tif 000005
【図４】
2006179394.tif 000006
【図５】
2006179394.tif 000007
【図６】
2006179394.tif 000008
【図７】
2006179394.tif 000009
【図８】
2006179394.tif 000010
【図９】
2006179394.tif 000011
【図１０】
2006179394.tif 000012